【事件の表示】
　平成　７年特許願第１７１９９３号「光ディスク、光ディスク装置および光ディスク記録再生方法」拒絶査定不服審判事件〔平成　９年　１月２８日出願公開、特開平　９−　２７１２７〕について、次のとおり審決する。
【結　論】
　本件審判の請求は、成り立たない。
【理　由】
I．手続の経緯
　本件審判の請求にかかる特許願（以下、「本願」という）は、平成７年７月７日に出願されたものであって、平成１３年９月２１日付けで、請求項１〜５，８，１０に記載された発明について特許法第３７条の規定を満たしていない、また同法第３６条第４項及び同法第３６条第６項第２号の規定を満たしていない、さらには請求項１〜５，８，１０に記載された発明について同法第２９条第２項の規定により特許を受けることができない旨の拒絶理由の通知がなされ、平成１３年１１月２７日付けで手続補正がなされたものの、平成１４年２月１５日付けで、本願は前記拒絶理由に記載した同法第３７条，同法第２９条第２項で規定する要件を満たしていないとの理由により拒絶すべきものである旨の査定がなされたものである。
　そして、平成１４年３月２２日付けで、同法第１２１条第１項の規定による審判請求がなされるとともに、平成１４年４月２２日付けで手続補正書が提出されたものである。
　
　
　
II．平成１４年４月２２日付け手続補正についての補正の却下の決定
　
　〔補正却下の決定の結論〕  
　平成１４年４月２２日付け手続補正を却下する。　
　
　
　〔理由〕
　１．平成１４年４月２２日付け手続補正（以下、「本件補正」という）の内容及び目的
　本件補正は、特許請求の範囲及び発明の詳細な説明についてするもので、特許請求の範囲については、
　「【請求項１】トラックに光が照射されることにより、データが記録されるとともに、記録されたデータが再生される光ディスクにおいて、
　同期パターンで始まる複数のフレームからなるブロックを単位としてデータが記録されるデータ記録領域を有し、
　前記各ブロックの前には、少なくともアドレス情報を含むとともに再生のみ可能とされるヘッダ領域が、予めプリピットとして記録形成されている
　ことを特徴とする光ディスク。
　　【請求項２】　前記トラックは、少なくともファインクロックマークを表す信号に応じてウォブリングされている
　ことを特徴とする請求項１に記載の光ディスク。
　　【請求項３】　前記ヘッダ領域には、ジッタを吸収するための区間が形成される
　ことを特徴とする請求項１に記載の光ディスク。
　　【請求項４】　前記ヘッダ領域には、再生時における光の強度と、記録時における光の強度の切り換えの時間を確保するための区間と、
　記録データに対するクロック生成のためのデータが記録されている区間とがさらに形成される
　ことを特徴とする請求項１に記載の光ディスク。
　　【請求項５】　前記ヘッダ領域には、記録データの開始を表す同期信号を含む区間がさらに形成される
　ことを特徴とする請求項４に記載の光ディスク。
　　【請求項６】　前記ヘッダ領域には、
　前記ブロックの先頭を表すデータが記録される区間と、
　クロック生成用のデータが記録される区間と、
　アドレス位置を表すデータが記録される区間と、
　ピットの反転間隔長と信号極性を調整するデータが記録される区間とがさらに形成される
　ことを特徴とする請求項１に記載の光ディスク。
　　【請求項７】　光ディスクのトラックに光を照射して、データを記録するとともに、記録されたデータを再生する光ディスク装置において、
　予めプリピットとして記録形成されているヘッダ領域に含まれているアドレス情報を検索する検索手段と、
　同期パターンで始まる複数のフレームからなる１つのブロックを、前記ヘッダ領域に続く領域に記録する記録手段と
　を備えることを特徴とする光ディスク装置。
　　【請求項８】　光ディスクのトラックに光を照射して、データを記録するとともに、記録されたデータを再生する光ディスク記録再生方法において、
　予めプリピットして記録形成されているヘッダ領域に含まれているアドレス情報を検索し、
　同期パターンで始まる複数のフレームからなるブロックを、前記ヘッダ領域に続く領域に記録する
　ことを特徴とする光ディスク記録再生方法。」（以下、「本願発明」という）」
　
　とあるのを、
　
　「【請求項１】　トラックに光が照射されることにより、データが記録されるとともに、記録されたデータが再生される光ディスクにおいて、
　複数のフレームからなるブロックを単位としてデータが記録されるデータ記録領域を有し、
　前記各ブロックの先頭に配置される先頭フレームには、少なくともアドレス情報を含むヘッダ情報が、予めプリピットとして記録形成されているとともに、前記先頭フレームに続く所定数のフレームには、同期信号とそれに続く所定のデータが記録されるように構成される
　ことを特徴とする光ディスク。
　　【請求項２】　前記トラックは、少なくともファインクロックマークを表す信号に応じてウォブリングされている
　ことを特徴とする請求項１に記載の光ディスク。
　　【請求項３】　前記先頭フレームには、ジッタを吸収するための区間が形成される
　ことを特徴とする請求項１に記載の光ディスク。
　　【請求項４】　前記先頭フレームには、再生時における光の強度と、記録時における光の強度の切り換えの時間を確保するための区間と、
　記録データに対するクロック生成のためのデータが記録されている区間とがさらに形成される
　ことを特徴とする請求項１に記載の光ディスク。
　　【請求項５】　前記先頭フレームには、記録データの開始を表す同期信号を含む区間がさらに形成される
　ことを特徴とする請求項４に記載の光ディスク。
　　【請求項６】　前記先頭フレームには、
　前記ブロックの先頭を表すデータが記録される区間と、
　クロック生成用のデータが記録される区間と、
　アドレス位置を表すデータが記録される区間と、
　ピットの反転間隔長と信号極性を調整するデータが記録される区間とがさらに形成される
　ことを特徴とする請求項１に記載の光ディスク。
　　【請求項７】　複数のフレームからなるブロックを単位としてデータが記録されるデータ記録領域を有し、前記各ブロックの先頭に配置される先頭フレームには、少なくともアドレス情報を含むヘッダ情報が予めプリピットとして記録形成されているとともに、前記先頭フレームに続く所定数のフレームには、同期信号とそれに続く所定のデータが記録されるように構成される光ディスクにデータを記録する光ディスク装置において、
　前記先頭フレームに予めプリピットとして記録形成されているアドレス情報を検索する検索手段と、
　同期信号で始まる複数の前記フレームを、前記先頭フレームに続く領域に記録する記録手段と
　を備えることを特徴とする光ディスク装置。
　　【請求項８】　複数のフレームからなるブロックを単位としてデータが記録されるデータ記録領域を有し、前記各ブロックの先頭に配置される先頭フレームには、少なくともアドレス情報を含むヘッダ情報が予めプリピットとして記録形成されているとともに、前記先頭フレームに続く所定数のフレームには、同期信号とそれに続く所定のデータが記録されるように構成される光ディスクにデータを記録する光ディスク装置の光ディスク記録方法において、
　前記先頭フレームに予めプリピットして記録形成されているアドレス情報を検索し、
　同期信号で始まる複数の前記フレームを、前記先頭フレームに続く領域に記録する
　ことを特徴とする光ディスク記録方法。」（以下、「補正後発明」という）
　とするもので、大要、
　　１）請求項１に関しては、「同期パターンで始まる（複数フレーム）」を削除、「（各ブロックの）前には」を補正後発明においては「（各ブロックの）先頭に配置される先頭フレームには」と、「（アドレス情報を含む）とともに再生のみ可能とされる（ヘッダ領域）」を「（アドレス情報を含む）ヘッダ情報」と、さらに「前記先頭フレームに続く所定数のフレームには、同期信号とそれに続く所定のデータが記録される」なる構成要素を追加補正するものである。
　　２）請求項２〜６に関しては、「ヘッダ領域」を補正後発明においては「先頭フレーム」と補正するものである。
　　３）請求項７，８に関しては、「光ディスクのトラックに光を照射して、データを記録するとともに、記録されたデータを再生する」を補正後発明では「複数のフレームからなるブロックを単位としてデータが記録されるデータ記録領域を有し、前記各ブロックの先頭に配置される先頭フレームには、少なくともアドレス情報を含むヘッダ情報が予めプリピットとして記録形成されているとともに、前記先頭フレームに続く所定数のフレームには、同期信号とそれに続く所定のデータが記録されるように構成される光ディスクにデータを記録する」と、「（予め）」を「先頭フレームに（予め）」と、「ヘッダ領域に含まれているアドレス情報」を「アドレス情報」と、「同期パターン」を「同期信号」と、「フレームからなる１つのブロック（請求項８では「ブロック」）を、前記ヘッダ領域に」を同じく「前記フレームを、前記先頭フレームに」と、さらに請求項８では「記録再生方法」を「記録方法」と補正するものである。
　
　そして、前記１）〜３）は、何れも、特許法第１７条の２第４項第２号の特許請求の範囲の減縮、ないしは第３項の誤記の訂正を目的とするものに該当する。
　
　
　２．補正後発明が独立して特許を受けられるか否かについて
　次に、上記請求項１に記載された発明（以下、「補正後発明１」という）が、特許出願の際に独立して特許を受けることができるものであるか（特許法第１７条の２第５項において準用する同法第１２６条第４項の規定に適合するか）について以下検討する。
　　１）補正後発明１
　補正後発明１は、上記補正後発明の【請求項１】に係る発明として記載された次のとおりのものである。
　　「【請求項１】　トラックに光が照射されることにより、データが記録されるとともに、記録されたデータが再生される光ディスクにおいて、
　複数のフレームからなるブロックを単位としてデータが記録されるデータ記録領域を有し、
　前記各ブロックの先頭に配置される先頭フレームには、少なくともアドレス情報を含むヘッダ情報が、予めプリピットとして記録形成されているとともに、前記先頭フレームに続く所定数のフレームには、同期信号とそれに続く所定のデータが記録されるように構成される
　ことを特徴とする光ディスク。」
　　
　　２）刊行物
　これに対して、原査定の拒絶理由で引用された刊行物である特開昭６２−２０４４３４号公報（以下、「刊行物」という。）には、トラックに光を照射して、データを記録するととともに、記録されたデータを再生する光ディスクに関する発明について、以下の記載がある。
　　（１）“すべてのトラックに光感応性記録材料を形成し、前記トラックにアドレス情報を記録したセクタ識別子部とデータを記録するデータフィールド部をもつ複数のセクタを形成し、凹凸のピットの形でデータを前記データフィールド部に記録したデータ再生専用領域とデータの記録可能な前記データフィールド部からなるデータ記録領域とを有し、前記セクタ識別子部に前記データ再生専用領域と前記データ記録領域とを区別するデータフィールド識別フラッグを有し、（以下省略）・・・”（第１頁左下欄第５行〜第１４行目の特許請求の範囲（１））
　　（２）“本発明は、データを記録再生する光ディスクおよび駆動装置に関し、特に再生専用光ディスクにデータを追加して記録することを可能にした光ディスクおよび駆動装置に関する。”（第２頁左上欄第１６行〜第１９行目）
　　（３）“第３図において、１は光ディスク、２はディスクモータに光ディスクを装着するためのセンタ穴、３はデータが記録されていないデータフィールド部ＤＦを有するセクタからなる複数のトラックのデータ記録領域、４は予めデータが記録されているデータフィールド部ＤＦを有するセクタからなる複数のトラックのデータ再生専用領域、５はポリカーボネート樹脂などのディスク基材、６はディスク基材に溝状に形成したトラック、６ａはデータ記録領域、６ｂはデータ再生専用領域、７はレーザ光で信号が書き込まれる光感応性記録部材、８は光感応性記録部材７を保護するための保護層である。Ｓ１、Ｓ２、Ｓ３、…Ｓｎはセクタ、ＩＤはセクタＳ１、Ｓ２、…Ｓｎのアドレス情報を記録したセクタ識別子部、ＤＦはデータを記録するデータフィールド部である。
　光ディスク１はセクタ識別子部ＩＤとデータフィールド部ＤＦからなる複数のセクタに分割された溝状のトラック６がディスク基材５に形成され、その上に光感応性記録部材７が光ディスク全面に渡って一様に蒸着されている。データ記録領域３の光感応性記録部材７は、強い強度の記録レーザ光の照射によって反射率変化や穴形成の形で信号が記録される。データ再生専用領域４において、光感応性記録部材７は弱い強度の読み取りレーザ光を反射する反射膜として働く。”（第３頁右上欄第１２行〜左下欄第１７行目）
　　（４）“第４図は前記実施例における光ディスクのセクタ識別子部ＩＤのデータフィールド識別フラッグＦ（Ｆ1，Ｆ2）の説明図である。
　同図において、第４図（ａ）はデータフィールド部ＤＦに凹凸の形でデータが記録されたデータ再生専用領域４のセクタフォーマット、第４図（ｂ）はデータフィールド部ＤＦが一様な深さの溝状トラック片であるデータ記録領域３のセクタフォーマット、第４図（ｃ）はデータ再生専用領域４のアドレスＡＤＲ、データフィールド識別フラッグＦ1、エラー検出符号ＣＲＣの具体的な一実施例、第４図（ｄ）はデータ記録領域３のアドレスＡＤＲ、データフィールド識別フラッグＦ2、エラー検出符号ＣＲＣの具体的な一実施例である。
　セクタ識別子部ＩＤにおいて、ＰＲはクロック再生用のプリアンブル、ＡＭはアドレス情報の始まりを示すアドレスマーク、ＡＤＲはアドレス、Ｆ2はデータ記録領域３であることを示すデータフィールド識別フラッグ、Ｆ1はデータ再生専用領域４であることを示すデータフィールド識別フラッグ、ＣＲＣは巡回符号などのエラー検出符号、ＰＯはポストアンブルである。”（第３頁右下欄第５行〜第４頁左上欄第６行目）
　　（５）“データフィールド部ＤＦにおいて、ＳＹＮＣはクロック再生のためのクロック同期信号、ＤＭはデータの始まりを示すデータマーク、ＤＡＴＡはデータ、ＥＣＣはエラー検出訂正符号でる。
　ＡＤＲはトラックアドレス情報２バイト、トラックアドレス（ハイバイト）ＴＡ（Ｈ）、トラックアドレス（ローバイト）ＴＡ（Ｌ）とセクタアドレス情報ＳＡからなっている。”（第４頁左上欄第８行〜第１６行目）
　　（６）“第４図の実施例において、ディスク駆動装置が任意のセクタ識別子部ＩＤを読み取るとデータフィールド識別フラッグＦは例えば第４図（ｃ）、（ｄ）に示すようにＦ1＝1、Ｆ2＝0として検出され、光ディスク駆動装置はこのセクタがデータ再生専用領域４のものか、データ記録領域３のものかを知り、後述するようにデータ再生専用領域４およびデータ記録領域３の再生信号の読み取り条件を最適に制御する。”（第４頁左上欄第１７行〜右上欄第５行目）
　　（７）“第５図は前記実施例の光ディスクのトラックの拡大断面図である。第５図（ａ）はデータ再生専用領域４のセクタ識別子部ＩＤ、ギャップＧ1、データフィールド部ＤＦの部分拡大図を示し、第５図（ｂ）はデータ記録領域のセクタ識別支部ＩＤ、ギャップＧ1、データフィールド部ＤＦの部分拡大図、第５図（ｃ）は第５図（ｂ）のデータ記録領域の再生信号の波形図である。”（第４頁右上欄６行〜第１３行目）
　　（８）“第５図において、データ再生専用領域４とデータ記録領域３のトラックは共に、光感応性記録部材７が形成されており、各セクタ識別子部ＩＤは共に凹凸のピット８でセクタのアドレス情報が形成されており、加えてデータ再生専用領域４のデータフィールド部ＤＦはセクタ識別子ＩＤと同様に凹凸のピット８でデータが記録されている。”（第４頁右上欄第１４行〜第２０行目）
　
　以上の記載を、特に第４図を参照して、整理すると、刊行物には、以下のとおりの発明が記載されているものと認める。
　“データ記録領域３の光感応性記録部材７は、強い強度の記録レーザ光の照射によって反射率変化や穴形成の形で信号が記録され、データ再生専用領域４の光感応性記録部材７は弱い強度の読み取りレーザ光を反射する反射膜として働くことで、記録されたデータを記録再生していく光ディスクにおいて、すべてのトラックに光感応性記録材料を形成し、前記トラックにアドレス情報を記録したセクタ識別子部ＩＤとデータを記録するデータフィールド部ＤＦをもつ複数のセクタを形成し、凹凸のピットの形でデータを前記データフィールド部ＤＦに記録したデータ再生専用領域とデータの記録可能な前記データフィールド部ＤＦからなるデータ記録領域とを有して、前記セクタ識別子部ＩＤに前記データ再生専用領域と前記データ領域を識別するデータフィールド識別フラッグＦを有してなる光ディスク。”（以下、「刊行物発明」という。）
　　　
　　３）対比・判断
　　（１）対比
　刊行物発明において、データが記録される“光感応性記録材料を形成してあるトラック”は補正後発明１の「トラック」に、また刊行物発明の“データ記録領域３の光感応性記録部材７は、強い強度の記録レーザ光の照射によって反射率変化や穴形成の形で信号が記録され、データ再生専用領域４の光感応性記録部材７は弱い強度の読み取りレーザ光を反射する反射膜として働くことで、記録されたデータを記録再生していく光ディスク”は、該前者部分にはデータ記録について、該後者部分にはデータ再生についての記載があって、記録されたトラック部分も次に再生されるから、ここには補正後発明１の「（トラックに）光が照射されることにより、データが記録されるとともに、記録されたデータが再生される光ディスク」に相当する。
　また、刊行物発明の“アドレス情報を記録したセクタ識別子部ＩＤとデータを記録するデータフィールド部ＤＦをもつ複数のセクタを形成し、凹凸のピットの形で・・・（中略）・・・データの記録可能な前記データフィールド部ＤＦからなるデータ記録領域”であるが、“セクタ”は補正後発明１の「ブロック」に相当するものであるし（本願明細書：【００４５】を参照）、これが複数形成されているから、これは補正後発明１の「各ブロック」に相当する。そして、前記セクタの先頭に位置されているセクタ識別子ＩＤの内容であるが、少なくとも“ＰＲはクロック再生用のプリアンブル、ＡＭはアドレス情報の始まりを示すアドレスマーク、ＡＤＲはアドレス”（上記２．２）（４）を参照）を有する記載があり、また特定情報の範囲なり機能を奏する区域を他と区別するのに「領域」を用いての表現は通常的で特段の技術的な意義も認められなく、これは補正後発明１に記載の「セクタの先頭に配置される領域には、少なくともアドレス情報を含むヘッダ情報」が相当する。また、データフィールド部ＤＦはデータが記録される領域であるから、これは補正後発明１の「セクタの先頭に配置される領域に続く領域にはデータが記録されるデータ記録領域を有し、先頭に配置される領域には、少なくともアドレス情報を含むヘッダ情報を有し」が相当する。
　また、刊行物発明におけるセクタ識別子ＩＤの構成であるが“ディスク駆動装置が任意のセクタ識別子部ＩＤを読み取るとデータフィールド識別フラッグＦは例えば第４図（ｃ）、（ｄ）に示すようにＦ1＝1、Ｆ2＝0として検出され、光ディスク駆動装置はこのセクタがデータ再生専用領域４のものか、データ記録領域３のものかを知り、後述するようにデータ再生専用領域４およびデータ記録領域３の再生信号の読み取り条件を最適に制御する。”（上記２．２）（４）及び（６）を参照）等の記載があり、セクタ識別子ＩＤは予め凹凸のピットで記録形成されているもので、これは補正後発明１の「（少なくともアドレス情報をを含むヘッダ情報が、）予めプリピットとして記録形成されている」に相当する。
　
　結局、両発明の一致点、相違点及び相違点の判断は、以下のとおりである。
　［一致点］
　「トラックに光が照射されることにより、データが記録されるとともに、記録されたデータが再生される光ディスクにおいて、
　複数のフレームからなるブロックを単位としてデータが記録されるデータ記録領域を有し、
　前記各ブロックの先頭に配置される先頭フレームには、少なくともアドレス情報を含むヘッダ情報が、予めプリピットとして記録形成されているとともに、前記先頭フレームに続く所定数のフレームには、同期信号とそれに続く所定のデータが記録されるように構成される
　ことを特徴とする光ディスク。」　
　［相違点］
　イ．補正後発明１は「ブロック（セクタ）」が「複数のフレーム」からなるのに対し、刊行物発明の「ブロック（セクタ）」は「セクタ識別子ＩＤ」及び「データフィールド部ＤＦ」の領域をもつ記載はあるものの、複数のフレームからなるところまで言及していない点。                    
　ロ．ヘッダ情報の記録領域であるが、補正後発明１では各ブロックの先頭フレームに記録形成されているが、刊行物発明では先頭の領域であり、先頭フレームとの明確な記載がない点。
　ハ.先頭の領域に続く所定のデータを記録する領域であるが、補正後発明１では所定数のフレームには同期信号をもちそれに続く所定のデータが記録されるものの、刊行物発明ではそのような構成の記載がない点。
　
　［判断］
　上記イ．に関して、「ブロック（セクタ）」はフレームをいくつか集めてセクタを構成することは周知自明のものであり（尾上守夫他４名著，「光ディスク技術」，第２版，株式会社ラジオ技術社，平成元年１０月１日，ｐ２５１　を参照）、上記相違点イ．の構成は自明もしくは適宜構成できるものである。
　上記ロ．に関して、上記イ．で認定したように、ブロック（セクタ）はフレームをいくつか集めて構成されているのであり、刊行物発明のものにおいてもそのブロックの先頭領域にはヘッダ情報の領域をもっていることから、ヘッダ情報をブロック（セクタ）の先頭フレームに設けることは必要に応じて適宜想到できるものである。
　上記ハ．に関して、フレームをいくつか集めてブロック（セクタ）を構成するとともに、その各フレームには同期信号と続く所定のデータが記録されるように構成することは周知であるから（例：特開平４−１０５２７１号公報の第１０頁左上欄，第４，５図／尾上守夫他４名著，「光ディスク技術」，第２版，株式会社ラジオ技術社，平成元年１０月１日，ｐ２５１−２５３等を参照）、刊行物発明のものにおいても当該周知構成を採用して上記相違点ハ．のようにしていくことは当業者が適宜容易に想到できるものである。
　
　以上のとおりであるから、補正後発明１は、原査定で引用した刊行物に記載された発明及び周知技術に基づいて当業者が容易に発明をすることができたものであるから、特許法２９条第２項の規定により特許を受けることができないものである。
　
　　４）補正についてのむすび
　よって、本件補正は、特許法第１７条の２第５項で準用する特許法第１２６条第４項の規定に違反するものであり、特許法第１５９条第１項で準用する特許法第５３条第１項の規定により却下する。
　
　
　
III．本願について
　１．本願発明
　平成１４年４月２２日付けの手続補正は、上記のとおり却下されたので、本願の特許請求の範囲に記載された発明は、平成１３年１１月２７日付け手続補正で補正された明細書及び図面からみて、特許請求の範囲の請求項１〜８に記載されたとおりのものと認められるところ、その請求項１の記載は、上記II．〔理由〕１．の本願発明に記載された、以下のとおりのものである。
　「【請求項１】　トラックに光が照射されることにより、データが記録されるとともに、記録されたデータが再生される光ディスクにおいて、
　同期パターンで始まる複数のフレームからなるブロックを単位としてデータが記録されるデータ記録領域を有し、
　前記各ブロックの前には、少なくともアドレス情報を含むとともに再生のみ可能とされるヘッダ領域が、予めプリピットとして記録形成されている
　ことを特徴とする光ディスク。」（以下、「本願発明１」という。）。
　
　
　２．刊行物
　これに対して、原査定で引用された刊行物及び記載された事項は、上記したとおりである（II．〔理由〕２．２）刊行物を参照）。
　
　
　３．対比・判断
　１）対比
　本願発明１において、「同期パターン」及び「各ブロックの前には」とはその技術的意味が必ずしも明確でなく、この点に関して発明の詳細な説明または図面の記載を参酌する。
　先ず、「同期パターン」なる用語であるが発明の詳細な説明にも明確にその旨の記載はなく、図面等から、要するに各フレームの先頭にあるＦＳ信号である「同期信号」と解する。
　次に、「各ブロックの前」にであるが、「ブロック」とは発明の詳細な説明には「１セクタ（１ブロック）分のデータフォーマットを表している」（段落【００４５】を参照）の記載があるだけで、ここからブロック＝セクタと解されるものの、本願発明１に記載の文章表現どおりであるとすれば当該ブロックとは別にある「前」との意味にも得られる。しかしながら、図面等から判断してブロックを単位として構成されていることからすると、複数のフレームの始めのフレームに「アドレス情報を含むヘッダ領域がある」とする意味での「前」と理解され、技術的に判断してそれ以外の意味を意図するものと解すべき事項の把握はできない。
　また、「再生のみ可能とされる」であるが、これは再生のみ可能とするものであれば「予めプリピットとして記録形成」されているものであるから、同義であって、単なる冗長的表現にすぎないものである。
　
　以上のように理解して、本願発明１と刊行物発明と対比すると、［一致点］［相違点］は以下のようになる。
　
　［一致点］
　「トラックに光が照射されることにより、データが記録されるとともに、記録されたデータが再生される光ディスクにおいて、
　同期パターンで始まる複数のフレームからなるブロック（セクタ）を単位としてデータが記録されるデータ記録領域を有し、
　前記各ブロック（セクタ）の前には、少なくともアドレス情報を含むとともに再生のみ可能とされるヘッダ領域が、予めプリピットとして記録形成されている
　ことを特徴とする光ディスク。」
　
　［相違点］
　ａ．ブロック（セクタ）を単位としてデータが記録されるデータ記録領域であるが、本願発明１における単位となるブロックは「複数のフレームからなる」構成であるが、刊行物発明では、“セクタ識別子ＩＤ”と“データフィールドＤＦ”の２つの領域からなるセクタで、ブロック（セクタ）が「複数のフレームからなる」構成まで言及してない点。
　ｂ．ヘッダ領域であるが、本願発明１は上記で認定したように、ブロック（セクタ）を構成する複数のフレームのはじめのフレームに設けていると解されるものの、刊行物発明にはブロック（セクタ）がフレームからなるとの記載が明確でない点。
　ｃ．複数のフレームからなるデータ記録領域であるが、本願発明１は上記で認定したように、各フレームは同期信号と解される同期パターンで始まるのに対して、刊行物発明では、そのような記載がない点。
　
　［判断］
　上記ａ．〜ｃ．に関しては、上記II．〔理由〕２．３）（１）［判断］のイ．〜ロ．に記載したとおりである。
　
　結局、本願発明は、原査定で引用した刊行物に記載の発明及び周知技術に基づいて、当業者が容易に発明をすることができたものと認める。
　
　
　
IV．むすび
　以上のとおりであるから、本願請求項１に記載された発明は、特許法２９条第２項の規定により特許を受けることができないとしてした原査定は妥当なものである。
　
　よって、結論のとおり審決する。